(57)【要約】【課題】回動機構にダンパ手段の制動を最適な態様で与え、それにより使い勝手及び高級感をより向上する【解決手段】付勢手段４及びダンパ手段を有し、可動体２を、本体１の第１位置から第２位置及び第２位置から第１位置に切り換えるとき、その切換作動の途中までは前記付勢手段の付勢力に抗して回動操作し、途中からは付勢手段４の付勢力にて回動すると共に、該付勢力にて回動される所定区間で前記ダンパ手段により制動する回動機構であって、可動体２は一体に回動されるアーム２１を有していると共に、前記ダンパ手段は本体１に回動可能に軸支され、かつアーム２１に対して直接又は間接的に連結されて可動体２の切換作動の途中でその伸縮方向を切り換えるよう設けられたピストンダンパ３であることを特徴としている。【選択図】図２
2009263944.tif 000002
【特許請求の範囲】
【請求項１】
付勢手段及び制動用ダンパ手段を有し、可動体を、本体の第１位置から第２位置及び第２位置から第１位置に切り換えるとき、その切換作動の途中までは前記付勢手段の付勢力に抗して回動操作し、途中からは前記付勢手段の付勢力にて回動すると共に、該付勢力にて回動される所定区間で前記ダンパ手段により制動する回動機構であって、
前記可動体は一体に回動されるアームを有していると共に、前記ダンパ手段は前記本体に回動可能に軸支され、かつ前記アームに対して直接又は間接的に連結されて前記可動体の切換作動の途中でその伸縮方向を切り換えるよう設けられたピストンダンパであることを特徴とする回動機構。
【請求項２】
前記アームと前記ピストンダンパとは回動可能に接続されていることを特徴とする請求項１に記載の回動機構。
【請求項３】
前記アームと前記ピストンダンパとは前記本体に回動可能に軸支された接続部材を介して接続されていることを特徴とする請求項１に記載の回動機構。
【請求項４】
前記アームと前記ピストンダンパとの連結部が、前記可動体を前記本体の第１位置から第２位置及び第２位置から第１位置に切り換えるとき該可動体及び前記ピストンダンパの各回動中心を結ぶ直線を横切ることを特徴とする請求項１又は２に記載の回動機構。
【請求項５】
前記ピストンダンパは、伸長方向又は短縮方向の一方にだけ制動力が働くことを特徴とする請求項１から４の何れかに記載の回動機構。
【請求項６】
前記付勢手段は前記本体と前記可動体との間に介在されたターンオーバースプリングであることを特徴とする請求項１から５の何れかに記載の回動機構。
【請求項７】
前記付勢手段は前記ピストンダンパのシリンダ内に収められたコイルスプリングであることを特徴とする請求項１から６の何れかに記載の回動機構。
【発明の詳細な説明】
【技術分野】
【０００１】
本発明は、可動体を本体の第１位置と第２位置の間で切り換える回動機構のうち、特に切換動作の一部を付勢手段の付勢力にて回動するようにした回動機構に関する。
【背景技術】
【０００２】
回動機構としては、図１０（特許文献１に開示のもの）に示されるように、リッド４２を本体４１の開位置と閉位置とに切り換えるとき、その切換作動の一部をトーションばね（ターンオーバースプリング）４３の付勢力にて回動したり該付勢力に抗して回動操作するものがある。具体的には、リッド４２の両側壁に突設されて片側２個で合計４個のピン４４ａ，４４ｂと、本体両側に設けられてピン４４ａ，４４ｂと嵌合する枝溝４６ａ付きのガイド溝４６と、リッド４２を２方向へ付勢するトーションばね４３と、本体両側に突設された軸部４８に枢支されて、ピン４４ａの突出端と嵌合する逃げ溝４５ａを形成している回動板４５とを有している。ここで、トーションばね４３は、一端側が本体側係止部４７に係止され、他端側がピン４４ａに係止されている。そして、リッド４２は、（ａ）の閉位置でピン４４ｂがガイド溝４６の上端に位置し、ピン４４ａが枝溝４６ａに位置して、トーションばね４３により閉方向へ付勢され該付勢状態で保持される。開位置へ切り換える際は、リッド４２をトーションばね４３の付勢力に抗し開方向へ回動操作する。すると、リッド４２はピン４４ｂを中心に所定角回動し、ピン４４ａが枝溝４６ａからガイド溝４６に戻った後、両ピン４４ａ，４４ｂが共に（ｂ）のごとくガイド溝４６の下端側へ移動する。トーションバネ４３は、ピン４４ａが枝溝４６ａからガイド溝４６に入ると、反転しながらリッド４２を開方向へ付勢移動する。
【０００３】
また、従来の回動機構としては、付勢手段及びロータリー式ダンパ手段を有し、リッドを本体の閉位置と開位置とに切り換えるとき、その切換作動の一部を付勢手段の付勢力にて回動したり該付勢力に抗して回動操作すると共に、ダンパ手段により制動することもある。この場合、制動機構としては、特許文献２に示されるように、ダンパ手段が一方向クラッチ（ワンウェイクラッチ装置）を介して、リッドの開時には作動してリッドをゆっくり開き、閉時には作動しないようにしたものもある。
【特許文献１】特開２００１−３３６３３５号公報
【特許文献２】特開２００５−６７７０８号公報
【発明の開示】
【発明が解決しようとする課題】
【０００４】
上記した各回動機構のうち、特許文献２の回動機構では、リッドが閉から開位置に付勢力で移動されるときに、ダンパ手段が一方向クラッチを介してリッドの開速度を制動し、逆にリッドが付勢力に抗して開から閉位置に回動操作されるときにダンパ手段の制動を受けずに操作することができる。しかしながら、この回動機構において、制動機構としてはリッドが閉から開位置に回動されるとき、又は、リッドが開から閉位置に回動されるときの何れか一方で制動力を付与する。換言すると、リッドが特許文献１のごとく閉位置から途中まで手動で回動操作し途中から付勢力で回動して開位置に切り換えたり、開位置から途中まで手動で回動操作し途中から付勢力で回動して閉位置に切り換えるような構造において、従来の制動機構では、リッドを付勢力で回動する部分過程だけ制動したり、逆にリッドを手動で回動操作する部分過程だけ制動を受けないようにはできず、そのことが高級化を図る上での制約要因となっている。
【０００５】
なお、本出願人は、以上のような課題に対し次のような回動機構を工夫した（特願２００７−１７７３６７号）。すなわち、先願の回動機構は、付勢手段及び制動用ダンパ手段を有し、可動体を、本体の第１位置から第２位置又は第２位置から第１位置に切り換えるとき、その切換作動の途中までは前記付勢手段の付勢力に抗して回動操作し、途中からは付勢手段の付勢力にて回動すると共に、該付勢力にて回動される区間だけダンパ手段によって制動するものである。本発明の目的は、その回動機構と同様な作動をより簡易に実現可能にし、コスト低減及び用途拡大を図ることにある。
【課題を解決するための手段】
【０００６】
上記目的を達成するため本発明は、形態例を参考にして特定すると、付勢手段（４）及び制動用ダンパ手段を有し、可動体（２）を、本体（１）の第１位置から第２位置及び第２位置から第１位置に切り換えるとき、その切換作動の途中までは前記付勢手段の付勢力に抗して回動操作し、途中からは前記付勢手段の付勢力にて回動すると共に、該付勢力にて回動される所定区間で前記ダンパ手段により制動する回動機構であって、前記可動体（２）は一体に回動されるアーム（２１）を有していると共に、前記ダンパ手段は前記本体（１）に回動可能に軸支され、かつ前記アーム（２１）に対して直接又は間接的に連結されて前記可動体（２）の切換作動の途中でその伸縮方向を切り換えるよう設けられたピストンダンパ（３、３Ａ、３Ｂ）であることを特徴としている。
【０００７】
以上の本発明において、可動体はリッド、扉、カバーなどを含む。本体はボックス、各種の収納部や装置などを含む。本体の第１位置及び第２位置は、例えば、可動体が形態例のようなリッドであれば一方が開位置で他方が閉位置となる。制動用ダンパ手段はピストンダンパである。このピストンダンパは、例えば、実公平７−７６３８号公報、特開平８−２７７８７３号公報、特開２００６−９０５０２号公報に開示されるような既存のものを利用できる。その場合、第１形態のピストンダンパではピストンロッドが伸長する際に制動力が働くタイプ、第２形態のピストンダンパではピストンロッドが短縮する際に制動力が働くタイプ、第３形態ではピストンロッドが付勢手段であるコイルスプリングで伸長する方向へ付勢されているタイプ（請求項７）である。また、各ピストンダンパは、本体の対応部に回動可能に軸支されること、可動体に設けられて一体に回動するアームに対して作動連結、つまり直接又は間接的に連結されて可動体の切換作動の途中でその伸縮方向を切り換えるよう設けられることが必須となる。
【０００８】
以上の本発明は請求項２〜７のごとく具体化されることがより好ましい。すなわち、
（ア）前記アームと前記ピストンダンパとは回動可能に接続されている構成（請求項２）か、前記アームと前記ピストンダンパとは前記本体に回動可能に軸支された接続部材を介して接続されている構成（請求項３）の何れかである。
（イ）前記アームと前記ピストンダンパとの連結部が、前記可動体を前記本体の第１位置から第２位置及び第２位置から第１位置に切り換えるとき該可動体及び前記ピストンダンパの各回動中心を結ぶ直線を横切る構成（請求項４）である。
（ウ）前記ピストンダンパは、伸長方向又は短縮方向の一方にだけ制動力が働く構成（請求項５）である。
（エ）前記付勢手段は前記本体と前記可動体との間に介在されたターンオーバースプリングからなる構成（請求項６）である。
（オ）前記付勢手段は前記ピストンダンパのシリンダ内に収められたコイルスプリングからなる構成（請求項７）である。
【発明の効果】
【０００９】
請求項１の発明では、可動体を、第１位置から第２位置に向かう途中までは付勢力に抗して回動操作し途中から第２位置までは付勢力にて回動し、かつ、第２位置から第１位置に向かう途中までは付勢力に抗して回動操作し途中から第１位置まで付勢力にて回動する回動機構として、上記した先願に比べて簡易な構成により可動体が付勢力で回動される所定区間だけピストンダンパによる制動力を付与して高級感を向上できる。
【００１０】
請求項２の発明では、可動体側のアームとピストンダンパとが第１形態のごとく直に接続されているため簡易化の点で優れている。これに対し、請求項３の発明では、可動体側のアームとピストンダンパとが第２形態のごとく接続部材を介して接続されているとピストンダンパのストローク（伸縮量）を変更可能となり設計自由度を拡大できる。
【００１１】
請求項４の発明では、第１形態のごとくアームとピストンダンパの連結部が可動体及びピストンダンパの各回動中心を結ぶ直線を横切るようにすると、伸長時にだけ制動力を発揮する一方向タイプを用いながら可動体が途中から付勢力で第１位置へ回動されたり、第２位置へ回動される際に共に制動力を働かせることができる。これに対し、請求項５の発明は、ピストンダンパが伸長方向又は短縮方向の一方にだけ制動作用を発揮するものであればよいことを確認的に特定したことに意義がある。
【００１２】
請求項６の発明では、付勢手段がターンオーバースプリングであると付勢圧を任意に変更でき汎用性に優れている。これに対し、請求項７の発明では、付勢手段としてコイルスプリングを内蔵したピストンダンパを使用して上記した付勢作用と制動作用を実現でき、シンプル化がより図られる。
【発明を実施するための最良の形態】
【００１３】
本発明形態として、図１〜図５の第１形態と、図６〜図８の第２形態と、図９の第３形態について説明する。なお、図面は作図上一部を省略化したり簡略化している。第２形態及び第３形態では、第１形態と同じ部材及び部位に同じ符号を付し、重複した記載を極力省くことにする。以下の説明では、適用装置、回動機構及び作動、第２形態の変更点、第３形態の変更点の順に詳述する。
【００１４】
（適用装置）各形態は本発明の回動機構を収納装置に適用した例である。この収納装置は、本体１に対してリッド２を本発明の回動機構を介して本体側開口部を塞ぐ図１（又は図６、図９）の閉位置と、本体側開口部を全開する図３（又は図８）の開位置とに回動して切り換えるとき、リッド２が閉から開位置に向かう途中までは付勢力に抗して回動操作され、途中から開位置までは付勢力にて回動され、かつ、リッド２が開から閉位置に向かう途中までは付勢力に抗して回動操作され、途中から閉位置まで付勢力にて回動されるようになっている。
【００１５】
ここで、本体１は、図１及び図５に示されるように、内部が前後壁１０，１１と両側壁１２並びに底壁１３により区画されて上開口したボックス状をなしている。前壁１０の上側には前方へ張り出した鍔状の上フランジ部が設けられ、該上フランジ部にリッド２の対応部を受け止めるゴム等からなる緩衝部材１４が付設されている。両側壁１２の後上側には、リッド用の枢軸部１５が同軸線上にそれぞれ突設されている。一方側壁１２には、ピストンダンパ用の枢軸部１６が略中央部に突設されている。他方側壁１２には、付勢手段としてターンオーバースプリング４の一端４ｂを掛け止めする係止部１７と、ターンオーバースプリング４に対応したリブ１８とが設けられている。リブ１８は対応する枢軸部１５を支点とした円弧状に形成されており、ターンオーバースプリング４の巻線部４ａを反転ないしは揺動可能に支える。
【００１６】
リッド２は、本体側開口を覆う略矩形状の板部２０と、板部両側に突設された支持用アーム２１，２２と、前縁の左右中間に設けられて手動で回動操作する際に指等を引っかける不図示の摘み部などを有している。各アーム２１，２２には、枢軸部１５に対応した不図示の取付孔が同軸線上に設けられている。また、アーム２１の下端には、一段薄くなっている連結部２１ａが設けられている。連結部２１ａには不図示の軸孔が設けられている。これに対し、アーム２２の下端には係止孔２２ａが設けられている。
【００１７】
以上のリッド２は、板部２０が本体１の上側に載せられると共に、両側のアーム２１，２２が本体１の対応側壁１２の外側に位置決め配置された状態で、各枢軸部１５に対しねじ部材２４及びワッシャ２３などを介して回動可能に支持される。そして、リッド２は、本体１の上開口を塞いだ閉位置と上開口を開放した開位置に切り換えられる。
【００１８】
（回動機構）本体１とリッド２との間には、回動機構の主要部となるピストンダンパ３と付勢手段としてのターンオーバースプリング４とが組み付けられる。そのうち、ターンオーバースプリング４は、一端４ｂが係止部１７に遊嵌状態に掛け止められ、他端４ｃが付勢力を発現しつつに前記係止孔２２ａに掛け止められる。この取付状態では、図１のごとくリッド２がターンオーバースプリング４の付勢力で閉位置に保持されている。
【００１９】
これに対し、ピストンダンパ３は、本体１に対し回動可能に支持されるシリンダ３０及び該シリンダ３０に対しシリンダ開口部に装着されたキャップ３１の中心孔を介して出没されるピストンロッド３２を有したものが対象となる。構造は、例えば、実公平７−７６３８号公報や特開２００６−９０５０２号などに開示の公知のエアダンパが用いられており、ピストンロッド３２が伸長する際にだけ制動力が働くタイプである。
【００２０】
また、シリンダ３０は、有底筒状の外周壁に突設された支持部３０ａ及び該支持部３０ａに設けられている不図示の取付孔を有している。ピストンロッド３１は、内端に設けられた不図示の制動機構部であるピストンと、突出端に設けられた舌状の連結部３２ａとを有し、内端側がシリンダ３０内に往復動自在に受容されると共に、突出端側がシリンダ３０の開口を閉じているキャップ３１の中心孔を介して外側へ突出されている。
【００２１】
以上のピストンダンパ３は、本体側壁の枢軸部１６に対しシリンダ側支持部３０ａを当接した状態でねじ２５等を支持部３０ａの取付孔から係止することで回動可能に軸支される。また、アーム側連結部２１ａに対しピストンロッド側連結部３２ａを重ねた状態でねじ３３等を介して回動可能に連結される。
【００２２】
（作動）上記した回動機構はリッド２の開閉時において次のように作動する。
（ア）、リッド２を閉位置から開位置（全開位置）に切り換えるときは、リッド２が図１の閉位置から図２の実線で示される途中位置までターンオーバースプリング４の付勢力に抗して（つまり付勢力を蓄えつつ）回動操作され、途中位置を過ぎた後はターンオーバースプリング４の付勢力により図３の開位置まで自動的に回動される。
（イ）、リッド２を開位置から閉位置に切り換えるときは、リッド２が図３の開位置から図２の実線で示される途中位置までターンオーバースプリング４の付勢力に抗して（つまり付勢力を蓄えつつ）回動操作され、途中位置を過ぎた後はターンオーバースプリング４の付勢力により図１の閉位置まで自動的に回動される。これらのリッド切換作動は、図１０の従来回動機構や特願２００７−１７７３６７号の先願と同様であるが、次に述べるピストンダンパ３を使用している点で改良されている。
【００２３】
（ウ）、すなわち、ピストンダンパ３は、シリンダ３０が本体１側にねじ２５等を介して回動可能に軸支され、かつピストンロッド３１がリッド側アーム２１に対してねじ３３等を介して回動可能に連結されており、リッド２の閉位置から開位置、開位置から閉位置への各切換作動の途中でその伸縮方向を切り換える。つまり、この第１形態では、アーム２１とピストンロッド３１との連結部（ねじ３３などを介して連結されている箇所）が、リッド２を閉位置から開位置及び開位置から閉位置に切り換えるとき該リッド２及びピストンダンパ３の各回動中心を結ぶ直線（図３に示した直線Ｓ）を横切るよう設定されている。このため、以上のピストンダンパ３としては、伸長時にだけ制動力を発揮する一方向タイプを用いながら制動力として次のように作用する。
【００２４】
（エ）、まず、リッド２を図１の閉位置から図２の途中位置（角度は概略４５度で、図３の直線Ｓに相当している）まで回動操作するときには、ピストンロッド３１が短縮するため制動力が働かず操作性を損なわない。リッド２は、直線Ｓを過ぎるとターンオーバースプリング４の付勢力により開位置まで回動される。このときピストンダンパ３は、ピストンロッド３１が伸長して制動力を発揮し、リッド２を緩やかに回動して高級感を付与する。また、リッド２を図３の開位置から図２の途中位置まで回動操作するときには、ピストンロッド３１が短縮するため制動力が働かず操作性を損なわない。リッド２は、前記した直線Ｓを過ぎるとターンオーバースプリング４の付勢力により閉位置まで回動される。このときピストンダンパ３は、ピストンロッド３１が伸長して制動力を発揮し、リッド２を緩やかに回動して高級感を付与する。
【００２５】
（第２形態）図６は図１に対応し、図７は図２に対応し、図８は図３に対応して図示している。なお、図４は第２形態でも同様に当てはまる。図６〜図８では、リッド側アームとピストンロッドとを接続部材５を介して作動連結した一例である。
【００２６】
接続部材５は、概略厚い円板状をなし、円板中心に貫通された不図示の軸孔と、円板の内側周囲に設けられたギア５ａと、円板の外側部分に突設された連結片部５ｂとを有している。そして、この接続部材５は、本体側壁１２に設けられた不図示の枢軸部に対して円板中心の軸孔を当接した状態でねじ２８等を介して回動可能に軸支される。
【００２７】
また、リッド側アーム２１の下端には、第１形態の連結部２１ａに代えて扇状の張出部２６が一体に設けられている。この張出部２６は、接続部材側ギア５ａと噛み合うギア部２６を扇形の外周に形成している。このため、この構造では接続部材５が本体側壁１２にねじ２８等を介して取り付けられると、ギア５ａがギア部２６と噛み合っている。
【００２８】
また、第２形態のピストンダンパ３Ａは、本体１に対し回動可能に支持されるシリンダ３０及び該シリンダ３０に対しシリンダ開口部に装着されたキャップ３１の中心孔を介して出没されるピストンロッド３２を有している点で第１形態と同じであるが、ピストンロッド３２が短縮する際にだけ制動力が働くタイプである。この一例としては、実公平７−７６３８号公報に記載されているごとく第１形態に比べてピストンロッド３２の内端に設けられているピストンのバルブを逆向きにした構成である。
【００２９】
以上のピストンダンパ３Ａは、第１形態と同様にねじ２５等を介して本体側壁１２に回動可能に軸支される。また、接続部材側連結片部５ｂに対しピストンロッド側連結部３２ａがねじ３３等を介して回動可能に連結される。
【００３０】
（作動）以上の第２形態では、上記（ア）と（イ）の作動は同じであるが、（ウ）と（エ）の作動が次のようになる。
（ウ）、すなわち、ピストンダンパ３Ａは、シリンダ３０が本体１側にねじ２５等を介して回動可能に軸支され、かつピストンロッド３１が接続部材側ギア５ａを介してリッド側アーム２１のギア部２６と作動連結されており、リッド２の閉位置から開位置、開位置から閉位置への各切換作動の途中でその伸縮方向を切り換える。そして、以上のピストンダンパ３Ａは、短縮時にだけ制動力を発揮する一方向タイプを用いながら制動力として次のように作用する。
【００３１】
（エ）、まず、リッド２を図６の閉位置から図７の途中位置（角度は概略４５度）まで回動操作するときには、ピストンロッド３１が伸長するため制動力が働かず操作性を損なわない。リッド２は、第１形態と同様に図７の途中位置を過ぎるとターンオーバースプリング４の付勢力により開位置まで回動される。このとき、ピストンダンパ３Ａは、ピストンロッド３１が短縮して制動力を発揮し、リッド２を緩やかに回動して高級感を付与する。また、リッド２を図８の開位置から図２の途中位置まで回動操作するときには、ピストンロッド３１が伸長するため制動力が働かず操作性を損なわない。リッド２は、図７の途中位置を過ぎると第１形態と同様にターンオーバースプリング４の付勢力により閉位置まで回動される。このとき、ピストンダンパ３Ａは、ピストンロッド３１が短縮して制動力を発揮し、リッド２を緩やかに回動して高級感を付与する。また、第２形態では、リッド側のアーム２１とピストンダンパ側ピストンロッド３１とがアーム側ギア部２６ａと接続部材側ギア５ａとの噛み合いを介して接続されているため、ピストンダンパ３Ａのストローク、つまりピストンロッド３１の伸縮量を変更可能となり設計自由度を拡大できる。
【００３２】
（第３形態）図９は図１に対応して図示している。この第３形態は、第１形態のピストンダンパ３及びターンオーバースプリング４を変更した一例である。
【００３３】
すなわち、第３形態では、リッド２の両側に設けられた各アーム２１が同じ形状をなし、各アーム２１が第１形態のアーム２１とピストンダンパ３と同じ構成で各側壁１２にそれぞれ回動可能に軸支されたピストンダンパ３Ｂに連結されている。このため、第３形態では第１形態のターンオーバースプリング４が省略され、その代わりにピストンダンパ３Ｂがもう一つ追加されている。但し、原理的には片側のピストンダンパ３Ｂだけでもよい。これは、例えば、リッド２が小さかったり軽く回動用の大きな付勢力を必要としない場合である。
【００３４】
各ピストンダンパ３Ｂは、本体１に対し回動可能に支持されるシリンダ３０及び該シリンダ３０に対しシリンダ開口部に装着されたキャップ３１の中心孔を介して出没されるピストンロッド３２を有し、また、ピストンロッド３２が伸長する際にだけ制動力が働く点で第１形態と同じである。異なる点は、シリンダ３０に内蔵されてピストンロッド３２を突出方向へ付勢しているコイルスプリング３６を有している。なお、このダンパ構造は、例えば、特開平８−２７７８７３号公報に開示されているものを簡略化（カム及びラッチを省いた）したものである。符号３４と３５は、特開平８−２７７８７３号に記載の円形結合部とリップシールに対応している。
【００３５】
そして、この構造では、ピストンダンパ３Ｂに内蔵されたコイルスプリング３６が第１形態のターンオーバースプリング４と同様な付勢力として作用するため、第１形態よりもシンプル化がより図られることになる。
【００３６】
なお、本発明は、請求項１で特定される構成を備えておればよく、細部は必要に応じて種々変更可能なものである。例えば、第１形態において付勢力を増大したいときはピストンダンパ３に代えて第３形態で使用したピストンダンパ３Ｂを使用するようにしてもよい。
【図面の簡単な説明】
【００３７】
【図１】（ａ）と（ｂ）は第１形態の回動機構を適用した収納装置をリッドの閉位置で示す両側の側面図である。
【図２】上記リッドを途中まで回動操作した状態を示す側面図である。
【図３】上記リッドが付勢力で開位置に切り換えられた状態での側面図である。
【図４】図３の状態で他方の側面を示す側面図である。
【図５】（ａ）と（ｂ）は図１の収納装置を前側から見た正面図と平面図である。
【図６】（ａ）と（ｂ）は第２形態を図１に対応して示す両側の側面図である。
【図７】図６のリッドを途中まで回動操作した状態で示す側面図である。
【図８】図７のリッドが付勢力で開位置に切り換えられた状態での側面図である。
【図９】（ａ）と（ｂ）は第３形態を図１に対応して示す両側の側面図である。
【図１０】特許文献１の回動機構を示す説明図である。
【符号の説明】
【００３８】
１…本体（１０と１１は前後壁、１２は側壁）
２…リッド（可動体、２１と２２はアーム）
３，３Ａ，３Ｂ…ピストンダンパ（ダンパ手段、３０はシリンダ）
４…ターンオーバースプリング（付勢手段）
５…接続部材（５ａはギア、５ｂは連結片部）
３６…コイルスプリング（付勢手段）
【図１】
2009263944.tif 000003
【図２】
2009263944.tif 000004
【図３】
2009263944.tif 000005
【図４】
2009263944.tif 000006
【図５】
2009263944.tif 000007
【図６】
2009263944.tif 000008
【図７】
2009263944.tif 000009
【図８】
2009263944.tif 000010
【図９】
2009263944.tif 000011
【図１０】
2009263944.tif 000012